(57)【要約】【課題】重畳表示がなされているか否かをユーザが容易に区別することが可能な画像重畳表示装置を提供すること。【解決手段】記録画像を入力するための記録画像入力部２と、記録画像入力部２によって入力された記録画像と実画像とが重畳されるように表示制御する表示制御部３と、表示制御部３の表示制御結果に基づいて記録画像と実画像とを表示する画像表示部４とを備える。表示制御部３は、画像表示部４に記録画像が表示されているときに、記録画像が表示中であることを示すための処理を行う。【選択図】図１
2007256431.tif 000002
【特許請求の範囲】
【請求項１】
予め記録されている記録画像と実時間で取得される実画像とを重畳して表示する画像重畳表示装置であって、
前記記録画像を入力するための記録画像入力部と、
前記入力された記録画像と前記実画像とが重畳されるように表示制御する表示制御部と、
前記表示制御部の表示制御結果に基づいて前記記録画像と前記実画像とを表示する画像表示部と、
を具備し、
前記表示制御部は、前記画像表示部に前記記録画像が表示されているときに、前記記録画像が表示中であることを示すための処理を更に行うことを特徴とする画像重畳表示装置。
【請求項２】
前記表示制御部は、前記処理として、前記画像表示部に前記記録画像が表示中であることを示す指標を、前記画像表示部に表示させることを特徴とする請求項１に記載の画像重畳表示装置。
【請求項３】
音声を出力する音声出力部を更に有し、
前記表示制御部は、前記処理として、前記画像表示部に前記記録画像が表示中であることを示す音声を、前記音声出力部から出力させることを特徴とする請求項１に記載の画像重畳表示装置。
【請求項４】
前記記録画像入力部から入力された記録画像に画像処理を加えるデータ処理部を更に有し、
前記表示制御部は、前記処理として、前記データ処理部で画像処理された記録画像を前記画像表示部に表示させることを特徴とする請求項１に記載の画像重畳表示装置。
【請求項５】
前記データ処理部は、前記記録画像入力部から入力される記録画像に予め付加されている情報に基づいて、前記記録画像に、前記画像表示部に前記記録画像が表示中であることを示すための画像処理を加えることを特徴とする請求項４に記載の画像処理装置。
【請求項６】
前記予め付加されている情報は、前記記録画像のファイル名、前記記録画像のファイル作成日付、前記記録画像の色変化に関する情報、及び前記記録画像の表示位置に関する情報の少なくとも何れかを含むことを特徴とする請求項５に記載の画像処理装置。
【請求項７】
前記画像表示部は、ハーフミラーを有し、このハーフミラーにおける反射像を前記実画像として表示することを特徴とする請求項１に記載の画像処理装置。
【請求項８】
予め記録されている記録画像と実時間で取得される実画像とを重畳して表示する画像重畳表示装置であって、
前記記録画像を入力するための記録画像入力部と、
前記入力された記録画像と前記実画像とが重畳されるように表示制御する表示制御部と、
前記表示制御部の表示制御結果に基づいて前記記録画像と前記実画像とを表示する画像表示部と、
を具備し、
前記表示制御部は、前記画像表示部に前記実画像が表示されているときに、前記実画像が表示中であることを示すための処理を更に行うことを特徴とする画像重畳表示装置。
【請求項９】
前記表示制御部は、前記実画像が表示中であることを示すための処理として、前記実画像が表示中であることを示す指標を前記表示部に表示させることを特徴とする請求項８に記載の画像重畳表示装置。
【請求項１０】
前記表示制御部は、前記実画像が表示中であることを示す指標を、前記実画像の近傍に表示させることを特徴とする請求項９に記載の画像重畳表示装置。
【請求項１１】
前記表示制御部は、前記画像表示部に前記実画像が表示されていないときに、前記画像表示部に前記実画像を表示していないことを示すための処理を行うことを特徴とする請求項８に記載の画像重畳表示装置。
【請求項１２】
予め記録されている記録画像と実時間で取得される実画像とを重畳して表示する画像重畳表示装置であって、
前記記録画像を入力するための記録画像入力部と、
前記実画像を入力するための実画像入力部と、
前記記録画像入力部から入力された記録画像と前記実画像入力部から入力された実画像とが重畳されるように表示制御する表示制御部と、
前記表示制御部の表示制御結果に基づいて前記記録画像と前記実画像とを表示する画像表示部と、
前記表示制御部に、前記記録画像又は前記実画像の表示状態の切り替え指示を行う表示切替部と、
を具備し、
前記表示制御部は、前記表示切替部から前記表示状態を切り替えるように指示がなされたときに前記表示状態を切り替えると共に、前記表示状態の切替がなされたこと示す指標を前記画像表示部に表示させることを特徴とする画像重畳表示装置。
【請求項１３】
予め記録されている記録画像を入力するための記録画像入力部と、
被写体を実時間で撮像する撮像部と、
前記撮像部で撮像された結果から画像を取得する画像取得部と、
前記画像取得部で取得された画像に、該取得された画像が実画像であることを示すための処理を行うデータ処理部と、
前記記録画像入力部から入力された記録画像と前記データ処理部で処理された画像とを重畳して出力する表示制御部と、
前記表示制御部で重畳された画像を表示する画像表示部と、
を具備することを特徴とする画像重畳表示装置。
【請求項１４】
予め記録されている記録画像を入力するための記録画像入力部と、
被写体を実時間で撮像する撮像部と、
前記撮像部で撮像された結果から画像を取得する画像取得部と、
前記記録画像入力部からの前記記録画像、前記データ処理部で処理された画像、及び前記記録画像が表示されていることを示す指標を重畳して出力する表示制御部と、
前記表示制御部で重畳された画像を表示する画像表示部と、
を具備し、
前記表示制御部は、前記記録画像入力部から前記記録画像が入力されているときに、前記記録画像の表示位置及び前記記録画像が表示されていることを示す指標の表示位置の少なくとも何れか一方を制御することを特徴とする画像重畳表示装置。
【請求項１５】
予め記録されている記録画像と実時間で取得される実画像とを重畳して表示する画像重畳表示装置であって、
前記記録画像を入力するための記録画像入力部と、
前記入力された記録画像と前記実画像とが重畳されるように表示制御する表示制御部と、
前記表示制御部の表示制御結果に基づいて前記記録画像と前記実画像とを表示する画像表示部と、
を具備し、
前記表示制御部は、前記画像表示部に前記記録画像が表示されていないときに、前記記録画像が表示中でないことを示すための処理を更に行うことを特徴とする画像重畳表示装置。
【請求項１６】
予め記録されている記録画像と実時間で取得される実画像とを重畳して表示する画像重畳表示装置であって、
前記記録画像を入力するための記録画像入力部と、
前記入力された記録画像と前記実画像とが重畳されるように表示制御する表示制御部と、
前記表示制御部の表示制御結果に基づいて前記記録画像と前記実画像とを表示する画像表示部と、
を具備し、
前記表示制御部は、前記画像表示部に前記実画像が表示されていないときに、前記実画像が表示中でないことを示すための処理を更に行うことを特徴とする画像重畳表示装置。
【発明の詳細な説明】
【技術分野】
【０００１】
本発明は、実時間で取得される実画像に別の画像を重畳して表示する画像重畳表示装置に関する。
【背景技術】
【０００２】
ある画像に別の画像を重畳して表示する機能を有する表示装置に関しては、種々の提案がなされている。例えば、特許文献１においては、前面から入射した光を前方に反射し、背面から入射した光を前方に透過させるような特性を持つハーフミラーの背面に、プラズマディスプレイパネル（ＰＤＰ）や液晶ディスプレイ（ＬＣＤ）等の画像表示部を配置することで、ハーフミラーの前に存在するユーザの眼にハーフミラーからの反射像と画像表示部に表示された画像とを重畳した画像を見せることができる技術が提案されている。
【特許文献１】特開２００５−１０３５６号公報
【発明の開示】
【発明が解決しようとする課題】
【０００３】
ここで、特許文献１においては、重畳表示を行っている際に、そのことがユーザに通知されない。この場合、重畳表示を行っているか否かが瞬時に判別できるような画像が表示されている場合は良いが、必ずしも画像を見ただけで重畳表示が行われているか否かを判別できるとは限らず、ユーザが混乱してしまうおそれがある。
【０００４】
本発明は、上記の事情に鑑みてなされたもので、重畳表示がなされているか否かをユーザが容易に区別することが可能な画像重畳表示装置を提供することを目的とする。
【課題を解決するための手段】
【０００５】
上記の目的を達成するために、本発明の第１の態様による画像重畳装置は、予め記録されている記録画像と実時間で取得される実画像とを重畳して表示する画像重畳表示装置であって、前記記録画像を入力するための記録画像入力部と、前記入力された記録画像と前記実画像とが重畳されるように表示制御する表示制御部と、前記表示制御部の表示制御結果に基づいて前記記録画像と前記実画像とを表示する画像表示部とを具備し、前記表示制御部は、前記画像表示部に前記記録画像が表示されているときに、前記記録画像が表示中であることを示すための処理を更に行うことを特徴とする。
【０００６】
この第１の態様によれば、画像表示部に記録画像が表示されているときに、その旨を示すための処理が行われる。これにより、ユーザは現在重畳表示がなされているか否かを容易に区別することが可能である。
【０００７】
また、上記の目的を達成するために、本発明の第２の態様による画像重畳装置は、予め記録されている記録画像と実時間で取得される実画像とを重畳して表示する画像重畳表示装置であって、前記記録画像を入力するための記録画像入力部と、前記入力された記録画像と前記実画像とが重畳されるように表示制御する表示制御部と、前記表示制御部の表示制御結果に基づいて前記記録画像と前記実画像とを表示する画像表示部とを具備し、前記表示制御部は、前記画像表示部に前記実画像が表示されているときに、前記実画像が表示中であることを示すための処理を更に行うことを特徴とする。
【０００８】
この第２の態様によれば、画像表示部に実画像が表示されているときに、その旨を示すための処理が行われる。これにより、ユーザは現在重畳表示がなされているか否かを容易に区別することが可能である。
【０００９】
また、上記の目的を達成するために、本発明の第３の態様による画像重畳装置は、予め記録されている記録画像と実時間で取得される実画像とを重畳して表示する画像重畳表示装置であって、前記記録画像を入力するための記録画像入力部と、前記実画像を入力するための実画像入力部と、前記記録画像入力部から入力された記録画像と前記実画像入力部から入力された実画像とが重畳されるように表示制御する表示制御部と、前記表示制御部の表示制御結果に基づいて前記記録画像と前記実画像とを表示する画像表示部と、前記表示制御部に、前記記録画像又は前記実画像の表示状態の切り替え指示を行う表示切替部とを具備し、前記表示制御部は、前記表示切替部から前記表示状態を切り替えるように指示がなされたときに前記表示状態を切り替えると共に、前記表示状態の切替がなされたこと示す指標を前記画像表示部に表示させることを特徴とする。
【００１０】
この第３の態様によれば、実画像又は記録画像の表示状態が切り替えられた場合には、その旨が画像表示部に表示される。これにより、ユーザは現在重畳表示がなされているか否かを容易に区別することが可能である。
【００１１】
また、上記の目的を達成するために、本発明の第４の態様による画像重畳装置は、予め記録されている記録画像を入力するための記録画像入力部と、被写体を実時間で撮像する撮像部と、前記撮像部で撮像された結果から画像を取得する画像取得部と、前記画像取得部で取得された画像に、該取得された画像が実画像であることを示すための処理を行うデータ処理部と、前記記録画像入力部から入力された記録画像と前記データ処理部で処理された画像とを重畳して出力する表示制御部と、前記表示制御部で重畳された画像を表示する画像表示部とを具備することを特徴とする。
【００１２】
この第４の態様によれば、撮像部において取得された実画像に対してその画像が実画像であることを示すための処理が行われる。これにより、ユーザは現在重畳表示がなされているか否か、及びどの画像が実画像であるかを容易に認識することが可能である。
【００１３】
また、上記の目的を達成するために、本発明の第５の態様による画像重畳装置は、予め記録されている記録画像を入力するための記録画像入力部と、被写体を実時間で撮像する撮像部と、前記撮像部で撮像された結果から画像を取得する画像取得部と、前記記録画像入力部からの前記記録画像、前記データ処理部で処理された画像、及び前記記録画像が表示されていることを示す指標を重畳して出力する表示制御部と、前記表示制御部で重畳された画像を表示する画像表示部とを具備し、前記表示制御部は、前記記録画像入力部から前記記録画像が入力されているときに、前記記録画像の表示位置及び前記記録画像が表示されていることを示す指標の表示位置の少なくとも何れか一方を制御することを特徴とする。
【００１４】
この第５の態様によれば、記録画像及び記録画像が表示されていることを示すための指標の表示位置が制御される。これにより、ユーザが記録画像や指標を視別しやすい。
【００１５】
また、上記の目的を達成するために、本発明の第６の態様による画像重畳装置は、予め記録されている記録画像と実時間で取得される実画像とを重畳して表示する画像重畳表示装置であって、前記記録画像を入力するための記録画像入力部と、前記入力された記録画像と前記実画像とが重畳されるように表示制御する表示制御部と、前記表示制御部の表示制御結果に基づいて前記記録画像と前記実画像とを表示する画像表示部とを具備し、前記表示制御部は、前記画像表示部に前記記録画像が表示されていないときに、前記記録画像が表示中でないことを示すための処理を更に行うことを特徴とする。
【００１６】
この第６の態様によれば、画像表示部に記録画像が表示されていないときに、その旨を示すための処理が行われる。これにより、ユーザは現在重畳表示がなされているか否かを容易に区別することが可能である。
【００１７】
また、上記の目的を達成するために、本発明の第７の態様による画像重畳装置は、予め記録されている記録画像と実時間で取得される実画像とを重畳して表示する画像重畳表示装置であって、前記記録画像を入力するための記録画像入力部と、前記入力された記録画像と前記実画像とが重畳されるように表示制御する表示制御部と、前記表示制御部の表示制御結果に基づいて前記記録画像と前記実画像とを表示する画像表示部とを具備し、前記表示制御部は、前記画像表示部に前記実画像が表示されていないときに、前記実画像が表示中でないことを示すための処理を更に行うことを特徴とする。
【００１８】
この第７の態様によれば、画像表示部に実画像が表示されていないときに、その旨を示すための処理が行われる。これにより、ユーザは現在重畳表示がなされているか否かを容易に区別することが可能である。
【発明の効果】
【００１９】
本発明によれば、重畳表示がなされているか否かをユーザが容易に区別することが可能な画像重畳表示装置を提供することができる。
【発明を実施するための最良の形態】
【００２０】
以下、図面を参照して本発明の実施形態を説明する。  
［第１の実施形態］
図１は、本発明の第１の実施形態に係る画像重畳表示装置の構成を示すブロック図である。図１に示す画像重畳表示装置は、データベース（図１においてはＤＢと記している）１と、記録画像入力部２と、表示制御部３と、画像表示部４とから構成されている。
【００２１】
データベース１には、実画像に重畳される記録画像が格納されている。ここで、本明細書において実画像とは、画像重畳表示装置による表示が行われている際に実時間で取得される画像のことであり、一般的には動画像である。また、記録画像とは、画像重畳表示装置による表示に先立って既にデータベース１に記録されている画像のことである。この記録画像は静止画像及び動画像の何れで合っても良く、記録画像を取得するための手法も特に限定されるものではない。例えば、図１に示す画像重畳装置に、カメラ等の撮像部を追加し、この撮像部によって取得された画像を記録画像としても良いし、図１に示す画像重畳装置とは別の撮像装置によって取得され、所定の記録媒体に記録された画像を記録画像としても良い。更に、記録画像を記録しておくための記録媒体も特に限定されるものではなく、例えばハードディスクや光ディスクなどの種々の記録媒体を用いることが可能である。
【００２２】
記録画像入力部２は、データベース１から画像表示部４に表示する記録画像を読み出して表示制御部３に出力する。表示制御部３は、記録画像入力部２から入力された記録画像と実画像とが重畳されるように所定の表示制御を行う。更に、記録画像を表示させた場合には、その旨をユーザに報せるための処理を行う。この処理については後で詳しく説明する。
【００２３】
画像表示部４は、記録画像と実画像が重畳された画像を表示する。図１の例においては、画像表示部４は、記録画像表示部４ａとハーフミラー４ｂとから構成されている。記録画像表示部４ａは、表示制御部３を介して入力された記録画像を表示する。ここで、記録画像表示部４ａは、一般的な画像表示装置を用いれば良い。この記録画像表示部４ａとしては、例えばＰＤＰ、ＬＣＤ、ＣＲＴディスプレイ、有機ＥＬディスプレイなどを用いることができる。ハーフミラー４ｂは、記録画像表示部４ａの表示面の前面に配置されており、当該ハーフミラー４ｂの前面から入射した光を前方に反射し、背面から入射した光を前方に透過させる特性を有しているものである。
【００２４】
以下、第１の実施形態の作用について説明する。まず、データベース１に記録された記録画像が記録画像入力部２を介して読み出されて表示制御部３に入力される。この際、複数の記録画像が読み出されるようにしても良い。
【００２５】
表示制御部３は、記録画像入力部２より入力された記録画像を記録画像表示部４ａに表示させる制御を行う。このような表示制御により、例えばユーザがハーフミラー４ｂの前にいればユーザ自身の像がハーフミラー４ｂで反射され、更に記録画像表示部４ａに表示されている画像がハーフミラー４ｂを透過する。したがって、ユーザの眼にはハーフミラー４ｂの反射像と記録画像表示部４ａに表示されている画像とが重畳された画像が見える。また、記録画像表示部４ａに記録画像が表示されていなければ、ハーフミラー４ｂで反射された像のみが見えることになる。更に、記録画像入力部２により複数の記録画像が読み出されている場合には、表示制御部３により、読み出された複数の記録画像が重畳された後で記録画像表示部４ａに表示される。
【００２６】
また、第１の実施形態において、表示制御部３は、記録画像表示部４ａに記録画像を表示させた場合には、そのことをユーザに報せるための処理を行う。図２は、この処理の一例として、記録画像表示部４ａに記録画像が表示されていることを示すための指標２３を、記録画像表示部４ａに表示させているときの図である。なお、指標２３を表示させるための画像データは例えばデータベース１に格納しておけば良い。また、図２において参照符号２１が記録画像を示し、参照符号２２が実画像を示している。
【００２７】
このように、第１の実施形態によれば、記録画像が表示されているときに図２に示すような指標２３を表示させることにより、ユーザは記録画像表示部４ａに記録画像が表示されていることを容易に認識することができる。
【００２８】
ここで、図１においては画像表示部４を記録画像表示部４ａとハーフミラー４ｂとで構成し、実画像をハーフミラー４ｂで反射された画像としているが、これに限るものはない。例えば、図３に示すように撮像部５及び実画像入力部６を設けるようにしても良い。この場合、撮像部５において被写体（例えば、画像表示部の前面に存在しているユーザ）を実時間で撮像して実画像を取得し、実画像入力部６は、撮像部５で取得された実画像を読み出して表示制御部３に入力する。表示制御部３は、記録画像入力部２から入力された記録画像と実画像入力部６から入力された実画像とを重畳して画像表示部４に表示させると共に、記録画像が表示されていることを示す指標を表示させる。このような構成及び動作によって、ハーフミラー４ｂを設置しなくとも図２で示したものと同様の重畳表示を行うことができる。
【００２９】
以後の説明においては図１の構成の画像表示部と図３の構成の画像表示部とを総称して画像表示部４と記す。
【００３０】
また、図２に示す指標２３は、記録画像が表示されていることが識別できれば良いので、その表示形態は図２に示すようなマークに限るものではない。例えば、指標２３として、記録画像が表示されていることを示す文字列を表示させるようにしても良い。
【００３１】
更に、記録画像が表示されていることをユーザに報せるための処理は、指標の表示に限るものではない。例えば、図４に示すようにして音声出力部７を設け、この音声出力部７から、記録画像表示部４ａに記録画像が表示されていることをユーザに報せるための音声を出力させるようにしても良い。このような音声出力の場合には、指標表示のための表示スペースを確保する必要がないので、画像表示部４の表示面を有効に活用できる。
【００３２】
また、指標２３を表示させる代わりに、図５に示すようなデータ処理部８を設け、記録画像入力部２から読み出された記録画像自体に、記録画像が表示されていることを示すための所定の画像処理を施すようにしても良い。この画像処理としては、例えば図６に示すようにして記録画像２１の色を変更する処理が考えられる。この場合、記録画像の色の変更は、画像全体に対して行うだけでなく、画像の一部のみ（例えば輪郭のみ）であっても良い。また、単に色を変えるだけでなく、画像自体を点滅させるような処理を行っても良い。つまり、ユーザが記録画像と実画像とを視別しやすくなるような処理であれば特に限定されるものではない。どのような画像処理を行うのかは、画像処理の内容を示す情報を、例えば記録画像ファイルのヘッダ等に記録しておき、データ処理部８がその情報に従って画像処理を行うようにすれば良い。あるいは、ユーザが画像処理の内容を選択できるようにしておき、ユーザの選択操作を受けてデータ処理部８が画像処理を行うようにしても良い。
【００３３】
更に、画像処理の別の例として、記録画像ファイルのヘッダ等に記録されたファイル情報（例えばファイル名情報、ファイル作成日付の情報等）を図７の参照符号２４ａ、２４ｂに示すようにして記録画像と共に表示させるようにしても良い。この際、図７のように複数の記録画像２１ａ、２１ｂを同時に表示させる場合には、記録画像同士及び記録画像のファイル情報同士が重ならないように表示制御することが好ましい。このような表示位置制御も表示制御部３により行う。
【００３４】
このように、記録画像の加工を行ってから重畳表示を行うことにより、記録画像がユーザの視覚に入りやすく、記録画像と実画像との視別が更に容易になる。また、記録画像と共にファイル情報を表示することにより、特に複数の記録画像が表示されているときに、記録画像同士の比較が容易になる。
【００３５】
また、上述した変形例においては、指標２３等の表示位置を画像表示部４の画面内としているが、指標を表示させるための専用の表示部を設けるようにしても良い。更には、上述した各変形例における記録画像が表示されていることを示すための処理を組み合わせて使用しても良い。
【００３６】
また、上述した例においては、記録画像が表示されているときに、その旨をユーザに報せるための指標を表示させていたが、実画像を常に表示させるようにしておき、記録画像が表示されていないときだけ、記録画像が表示されていないことを示す指標（即ち、重畳表示がなされていないことを示す指標）を表示させるようにしても良い。
【００３７】
更に、上述した例は、全て記録画像が表示されているときに、その旨をユーザに報せるための手法について説明したが、逆に実画像が表示されているときに、その旨を図８に示すような指標２５を表示させることによりユーザに報せるようにしても良い。この場合も、指標の表示形態は図８で示したものに限らず、また図４で示したような音声出力部７を設けるようにしても良い。更には、実画像が表示されていることを示すための各種処理を組み合わせて使用しても良い。
【００３８】
［第２の実施形態］
次に、本発明の第２の実施形態について説明する。本発明の第２の実施形態は、実画像及び記録画像の少なくとも何れかの表示状態の切り替えをユーザが自由に行える例である。
【００３９】
図９は、第２の実施形態に係る画像重畳表示装置のブロック構成図である。ここで、図９において第１の実施形態と同様の構成については第１の実施形態で説明したものと同様の参照符号を付すことで説明を省略する。第２の実施形態では、図３で示した構成に加えてスイッチセンサ部９と、表示切替部１０とが設けられている。スイッチセンサ部９はユーザが、記録画像又は実画像の少なくとも何れか一方の表示状態を切り替えるための指示を行うための操作部である。表示切替部１０はスイッチセンサ部９の操作状態を検出して表示制御部３に記録画像又は実画像の表示状態の切り替えの指示を行う。
【００４０】
以下、第２の実施形態の作用について説明する。まず、データベース１に記録された記録画像が記録画像入力部２を介して読み出されて表示制御部３に入力され、更に撮像部５において得られた実画像が実画像入力部６を介して表示制御部３に入力される。
【００４１】
表示制御部３は、記録画像入力部２より入力された記録画像と実画像入力部６を介して入力された実画像とを重畳し、画像表示部４に表示させる。
【００４２】
ここで、ユーザによるスイッチセンサ部９の操作により、記録画像又は実画像の表示のオンオフが切り替えられた場合には、その旨が表示切替部１０に通知される。そして、表示切替部１０は、記録画像又は実画像の表示状態を切り替えるように表示制御部３に指示を送る。表示制御部３は、表示切替部１０からの指示に基づいて記録画像又は実画像の表示状態を切り替えると共に、切り替えがなされたことをユーザに報せるための処理を行う。
【００４３】
図１０（ａ）及び図１０（ｂ）は表示状態の切り替えがなされたときに表示される指標の表示例について示す図である。第２の実施形態においては、例えば実画像２２の表示のオンオフが切り替えられる毎に、そのことを示すための指標が表示される。図１０（ａ）は実画像２２の表示がオフからオンに切り替えられたときになされる表示の一例である。この場合には、例えば図１０（ａ）の参照符号２６ａで示すような文字列が表示される。このような表示を行うことにより、ユーザは画像表示部４に実画像２２が表示されたことが分かる。一方、図１０（ｂ）は実画像２２の表示がオンからオフに切り替えられたときになされる表示の一例である。この場合には、例えば図１０（ｂ）の参照符号２６ｂで示すような文字列が表示される。このような表示を行うことにより、ユーザは実画像２２の表示が終了されたことが分かる。
【００４４】
ここで、上述した例においては、実画像の表示がオンからオフに切り替えられたときに、その旨をユーザに報せるための指標を表示させていたが、記録画像を常に表示させておき、実画像が表示されていないときだけ、実画像が表示されていないことを示す指標（即ち、重畳表示がなされていないことを示す指標）を表示させるようにしても良い。
【００４５】
ここで、表示状態の切り替えがなされたこと示すための処理も、文字列に限らず、指標の表示や音声出力によって行うようにしても良い。
【００４６】
以上説明したように、第２の実施形態によれば、表示状態の切り替えられる毎にその旨を示すための処理がなされるので、ユーザは自身の操作の結果を容易に認識でき、現在重畳表示がなされているか否かを区別することが可能である。
【００４７】
［第３の実施形態］
次に、本発明の第３の実施形態について説明する。図１１は、第３の実施形態に係る画像重畳表示装置のブロック構成図である。ここで、図１１において第１の実施形態と同様の構成については第１の実施形態で説明したものと同様の参照符号を付すことで説明を省略する。
【００４８】
第３の実施形態では、図１で示した構成に加えて撮像部１１と、画像取得部１２とが設けられている。撮像部１１は、被写体を実時間で撮像して実画像を得る。画像取得部１２は、撮像部１１で取得した実画像を、その取得した実画像における被写体の位置情報や記録する実画像ファイルのファイル情報等の情報と関連付けてデータベース１に記憶させる。
【００４９】
以下、第３の実施形態の作用について説明する。まず、撮像部１１によって被写体が撮像される。撮像された被写体の画像（実画像）は、その位置情報と共にデータベース１に記録される。次に、データベース１に記録された実画像及び記録画像が記録画像入力部２を介して読み出されて表示制御部３に入力される。
【００５０】
データ処理部８は、記録画像入力部２より入力された実画像及び記録画像に対してこれらをそれぞれ識別可能とするための画像処理を行う。これらの処理としては、例えば、画像の近傍に指標や文字列を表示させる処理や、画像の色を変更する処理、画像のファイル情報等を表示させる処理がある。
【００５１】
これら処理の後、データ処理部８から入力された実画像及び記録画像を表示制御部３は、記録画像と記録画像として記録された実画像とを重畳して記録画像表示部４ａに表示させる。ここで、実画像は、位置情報が関連付けて記録されているので、この位置情報に基づいて実画像及びこの画像が実画像であることを示すための指標（例えばマークや文字列）の表示位置を制御する。
【００５２】
これにより、例えばユーザがハーフミラー４ｂの前にいればユーザ自身の像がハーフミラー４ｂで反射され、更に記録画像表示部４ａに表示されている画像がハーフミラー４ｂを透過する。これによって、ユーザの眼には、ハーフミラー４ｂの反射像による実画像２２と記録画像表示部４ａに表示された実画像２９及び記録画像２１とが重畳された画像が見える。
【００５３】
図１２は、図１１の画像重畳表示装置による重畳表示がなされているときの表示の一例を示す図である。図１２においては、実画像２９及び記録画像２１に対して画像処理を行っており、実画像２２がハーフミラー４ｂの反射像である。
【００５４】
ここで、実画像であることを示す指標の表示位置は特に限定されるものではないが、複数の画像を同時に表示させる場合には、これら画像を視別できるように表示位置を制御することが好ましい。このために、例えば図１３に示すようにして実画像であることを示す指標２７を、実画像２２上若しくはその近傍に表示させる。
【００５５】
また、実画像２２とは別の位置に指標を表示させることで、実画像２２が実画像であることを示すこともできる。この例を図１４に示す。つまり、図１４の例では、画像２１が過去に撮影された記録画像であることを示すために、そのことを示す文字列２８を画像２１の近傍に表示させることで、画像２２が実画像であることを識別できる。
【００５６】
以上説明したように、第３の実施形態によれば、実画像が表示されていることを示すための処理と記録画像であることを示すための処理とを同時に行うことにより、どの画像が実画像でどの画像が記録画像であるのを容易に視別することが可能である。また、撮像部１１において実画像を取得し、この実画像を記録する際に、被写体の位置情報を関連付けて記録するようにしているので、実画像を現実の位置と同じ位置に表示させることが可能である。
【００５７】
以上実施形態に基づいて本発明を説明したが、本発明は上記した実施形態に限定されるものではなく、本発明の要旨の範囲内で種々の変形や応用が可能なことは勿論である。
【００５８】
更に、上記した実施形態には種々の段階の発明が含まれており、開示される複数の構成要件の適当な組合せにより種々の発明が抽出され得る。例えば、実施形態に示される全構成要件からいくつかの構成要件が削除されても、上述したような課題を解決でき、上述したような効果が得られる場合には、この構成要件が削除された構成も発明として抽出され得る。
【図面の簡単な説明】
【００５９】
【図１】本発明の第１の実施形態に係る画像重畳表示装置の構成を示すブロック図である。
【図２】第１の実施形態において重畳表示がなされているときの表示の一例を示す図である。
【図３】第１の実施形態の第１の変形例に係る画像重畳表示装置の構成を示すブロック図である。
【図４】第１の実施形態の第２の変形例に係る画像重畳表示装置の構成を示すブロック図である。
【図５】第１の実施形態の第３の変形例に係る画像重畳表示装置の構成を示すブロック図である。
【図６】記録画像に画像処理を行ったときの表示例を示す図である。
【図７】記録画像と共にファイル情報を表示させるときの一例を示す図である。
【図８】実画像が表示されていることを示す指標の表示例を示す図である。
【図９】本発明の第２の実施形態に係る画像重畳表示装置のブロック構成図である。
【図１０】表示状態の切替がなされたときに表示される指標の表示例について示す図である。
【図１１】本発明の第３の実施形態に係る画像重畳表示装置のブロック構成図である。
【図１２】第３の実施形態において重畳表示がなされているときの表示の一例を示す図である。
【図１３】実画像上に指標を表示させる場合の例を示す図である。
【図１４】実画像とは別の位置に指標を表示させる場合の例を示す図である。
【符号の説明】
【００６０】
１…データベース（ＤＢ）、２…記録画像入力部、３…表示制御部、４…画像表示部、４ａ…記録画像表示部、４ｂ…ハーフミラー、５，１１…撮像部、６…実画像入力部、７…音声出力部、８…データ処理部、９…スイッチセンサ部、１０…表示切替部、１１…撮像部、１２…画像取得部
【図１】
2007256431.tif 000003
【図２】
2007256431.tif 000004
【図３】
2007256431.tif 000005
【図４】
2007256431.tif 000006
【図５】
2007256431.tif 000007
【図６】
2007256431.tif 000008
【図７】
2007256431.tif 000009
【図８】
2007256431.tif 000010
【図９】
2007256431.tif 000011
【図１０】
2007256431.tif 000012
【図１１】
2007256431.tif 000013
【図１２】
2007256431.tif 000014
【図１３】
2007256431.tif 000015
【図１４】
2007256431.tif 000016